(57)【要約】【課題】  表面に粘着剤を塗布し裏面に剥離剤を塗布した粘着テープが確実に且つ綺麗に切り取ることが除塵用粘着テープ巻着ロールを提供する。【解決手段】  粘着テープ３に対して、途中の数箇所を切り残して前記ロールの一方端から他方端まで外周面から芯材１に達する深さに切断した長尺の直線状切離部７を設ける。  該直線状切離部７の前記各切り残し部分に、ロール外周面から芯材１に達する深さに切り込んだ２本の平行なカット目６ａ、６ａが交互に位置される短尺の破線状切離部６を、前記直線状切離部７の端部７ｂが該各破線状切離部６の２本の平行なカット目６ａの各端部６ｂ、６ｂ間に配置されるように設ける。そして前記粘着テープ３の巻き付け最下層と前記芯材１の外周面との間には、少なくとも前記直線状切離部７及び各破線状切離部６部分を中心としてその両側に跨る幅を有した付着材２を介在させる。【選択図】    図１
2008302016.tif 000002
【特許請求の範囲】
【請求項１】
表面には粘着剤が塗布され裏面には剥離剤が塗布された粘着テープを円筒形芯材に多重に巻着した除塵用粘着テープ巻着ロールにおいて、
前記粘着テープに対して、途中の数箇所を切り残して前記ロールの一方端から他方端まで外周面から前記芯材に達する深さに切断した長尺の直線状切離部を設け、
該直線状切離部の前記各切り残し部分に、ロール外周面から前記芯材に達する深さに切り込んだ２本の平行なカット目が交互に位置される短尺の破線状切離部を、前記直線状切離部の端部が該各破線状切離部の２本の平行なカット目の各端部間に配置されるように設け、
前記粘着テープの巻き付け最下層と前記芯材の外周面との間に、少なくとも前記直線状切離部及び各破線状切離部部分を中心としてその両側に跨る幅を有した付着材を介在させたことを特徴とする除塵用粘着テープ巻着ロール。
【請求項２】
破線状切離部と直線状切離部との配置を、前記直線状切離部の端部に形成される加工亀裂が、分離される側の各カット目の両側に形成される加工亀裂の間に形成されるようにしたことを特徴とする請求項１に記載の除塵用粘着テープ巻着ロール。
【請求項３】
切り離される側の粘着テープのロールの一方端部における直線状切離部の端部に、略Ｖ字形の切欠部を、ロール外周面から芯材側に向かって広がるように傾斜させて形成したことを特徴とする請求項１又は２に記載の除塵用粘着テープ巻着ロール。
【発明の詳細な説明】
【技術分野】
【０００１】
本発明は、汚れ面に押し付けた粘着テープのロールを押し引き回転させて、汚れをロールの粘着面に付着させて清掃を行うためのゴミ付着型掃除具に装填して使用する除塵用粘着テープ巻着ロールに関する。
【背景技術】
【０００２】
従来、粘着テープを巻いたロールの粘着面にゴミを付着させて清掃するための粘着ローラー式ゴミ付着掃除具が提供されているが、この掃除具に装填される粘着テープは、粘着面にゴミ等の汚れが付着する従って表面がゴミに覆われて粘着面が隠れるため新たにゴミを付着させることができなくなる。
そこで、粘着テープには１周分づつ簡単に切り取れるように、図５に示すように、ロールの表面から軸方向に予めミシン目Ｂが入れられ、ゴミの付着で粘着面の付着能力がある程度まで低下したら１周分づつミシン目まで粘着テープを剥ぎ取ってロール表面に新たな粘着面を出現させることでロールの付着能力の回復がなされるようになっている。
さらに近年では、粘着テープは同じロール径のままで紙の巻き取り回数、即ち全長を増加させようとするために、紙厚を薄くする傾向にあるが、用いる紙材が薄くてコシの弱い紙であることとと、より強力にゴミを付着できるように粘着力が強化されたことによって、粘着テープを切断する際に、ミシン目に沿って綺麗に切断することが大変困難となってきた。
例えば、素早くゴミが付着した部分を分離させようとすると、裂け目が予定していたミシン目から大きくそれてしまったり、ミシン目部分に髪の毛などが付着している場合では、その髪の毛に邪魔されてそこのミシン目からそれて裂けてしまうなどの不具合が生じていた。
そこで、本発明者は、図６に示すように、下記特許文献１に記載の、粘着テープのロールに二重ミシン目Ａを切り込んだ技術を提案し、これによって、裂け目がミシン目からそれてしまうのがある程度は防止できるようになった。
【特許文献１】実用新案登録第３０９５０４７号公報
【発明の開示】
【発明が解決しようとする課題】
【０００３】
しかしながら、上記特許文献１の二重ミシン目による技術では、素早く一気に切り取ろうとすると裂け目がミシン目からそれて予期せぬ方向に破れてしまうことがあり、これを防止することが困難であった。
そこで本発明は、巻いた粘着テープをロールから素早く切り取ろうとしても、またミシン目部分に髪の毛が絡み付いて付着していても、粘着テープに予め入れておいた切れ目に沿って確実に且つ綺麗に切ることが可能となる除塵用粘着テープ巻着ロールを提供することを目的とする。
【課題を解決するための手段】
【０００４】
上記課題を解決するために、本発明の除塵用粘着テープ巻着ロールは、請求項１の考案においては、表面には粘着剤が塗布され裏面には剥離剤が塗布された粘着テープを円筒形芯材に多重に巻着した除塵用粘着テープ巻着ロールにおいて、前記粘着テープに対して、途中の数箇所を切り残して前記ロールの一方端から他方端まで外周面から前記芯材に達する深さに切断した長尺の直線状切離部を設け、該直線状切離部の前記各切り残し部分に、ロール外周面から前記芯材に達する深さに切り込んだ２本の平行なカット目が交互に位置される短尺の破線状切離部を、前記直線状切離部の端部が該各破線状切離部の２本の平行なカット目の各端部間に配置されるように設ける。
そして、前記粘着テープの巻き付け最下層と前記芯材の外周面との間に、少なくとも前記直線状切離部及び各破線状切離部部分を中心としてその両側に跨る幅を有した付着材を介在させたことを特徴とする。
【０００５】
請求項２の考案においては、上記発明において、前記破線状切離部と直線状切離部との配置を、前記直線状切離部の端部に形成される加工亀裂が分離される側の各カット目の両側に形成される加工亀裂の間に形成されるようにしたことを特徴とする。
【０００６】
請求項３の考案においては、上記発明において、前記切り離される側の粘着テープのロールの一方端部における直線状切離部の端部に、略Ｖ字形の切欠部を、ロール外周面から芯材側に向かって広がるように傾斜させて形成したことを特徴とする。
【発明の効果】
【０００７】
本発明の除塵用粘着テープ巻着ロールは、直線状切離部の部分は長く切られ、その間に前記破線状切離部を２本の平行なミシン目状のカット目に形成したことで、粘着テープを切り離する際に、直線状切離部の部分では完全に綺麗に分離されるとともに、短い前記破線状切離部で粘着テープが綺麗に切り裂かれる。
その際、各破線状切離部部分においては、前記破線状切離部と直線状切離部との配置を、直線状切離部の端部に形成される加工亀裂が、分離される側の各カット目の両側に形成される加工亀裂の間に形成されるようにした場合、直線状切離部から前記破線状切離部のへカット目にまで確実に切り裂きことができる。
さらに２本の平行なカット目が交互に裂けて次の直線状切離部にその裂け目が移動するが、この裂け目の全体に長さのうち殆どは直線状切離部で既に直線状に長く切断されており、このため、ごく一部の短い破線状切離部を切り裂くだけで、不要となった部分を素早く確実に分離することが可能となった。
しかも、殆どは直線状切離部で既に直線状に長く切断されていることから、綺麗な切り口に状態で分離することができる。
【０００８】
また、既に直線状に長く切断されていることから、付着している髪の毛に殆ど影響されることなく、確実且つ素早くゴミが付着して不要となった部分を分離することが可能となった。
さらに、前記切り離される側の粘着テープのロールの一方端部における直線状切離部の端部に、ロール外周面から芯材側に向かって広がるように傾斜させた略Ｖ字形の切欠部を設ければ、捲る際に切欠部に指を掛けて粘着テープの端部を摘まみ易くすることができ、不要となった部分の切り取り作業をもたつくことなく素早く簡単に行えるようになった。
【発明を実施するための最良の形態】
【０００９】
本発明の除塵用粘着テープ巻着ロールを実施するための形態を、以下図に基づいて詳述する。
一般的に、除塵用粘着テープ巻着ロールは、図５に示すように、手で押し引きして使用するハンデイタイプの粘着テープによるゴミ付着型掃除具Ｃに使用され、その掃除具Ｃには粘着ロールが交換可能に装填されるようになっているが、本考案もこれと同様に粘着テープのロールがゴミ付着型掃除具に装着される。
【００１０】
そして本発明は、図１及び図２に示すように、表面には粘着剤４が塗布され裏面には剥離剤５が塗布された粘着テープ３を円筒形芯材１に多重に巻着した除塵用粘着テープ巻着ロールであって、前記粘着テープ３に対して、途中の数箇所を切り残して前記ロールの一方端から他方端まで外周面から芯材１に達する深さに切断した長尺の直線状切離部７を設ける。
【００１１】
そして、該直線状切離部７の前記各切り残し部分に、図３に示すように、ロール外周面から芯材１に達する深さに切り込んだ２本の平行なカット目６ａが交互に位置される短尺の破線状切離部６を、前記直線状切離部７の端部７ｂが該各破線状切離部６の２本の平行なカット目６ａの各端部６ｂ、６ｂ間に配置されるように設ける。
そして、前記粘着テープ３の巻き付け最下層と前記芯材１の外周面との間に、少なくとも前記直線状切離部７及び各破線状切離部６部分を中心としてその両側に跨る幅を有した付着材２を介在させる。
この、付着材２によって、巻きついた前記粘着テープ３は、長く切断された直線状切離部７の弾けて芯材１から浮き上がろうするのを防止し、周面がいびつにならずに全体の円形状を維持するこが可能となる。
【００１２】
前記破線状切離部６と直線状切離部７との配置は、直線状切離部７の端部に形成される加工亀裂７ｂが、分離される側の各カット目６ａの両側に形成される加工亀裂６ｂの間に形成されるようにすれば、切り取る際に、切り口を直線状切離部７のカット線７ａの端部７ｂから破線状切離部６の２本の平行なミシン目状のカット目６ａのうち一方のカット目６ａへと確実に移動させることができるので、直線状切離部７の端部から次の破線状切離部６へと破れ目が移動せずに他の周面に外れて裂けて行く虞がなくなり、不要な粘着テープ部分を綺麗に分離することが可能となる。
【００１３】
また、切り離される側の粘着テープ３のロールの一方端部における直線状切離部７の端部には、略Ｖ字形の切欠部８を、ロール外周面から芯材１側に向かって広がるように傾斜させて形成すると、粘着テープ３を捲る際に、切欠部８に指を掛ければ、前記粘着テープ３の端部が摘まみ易くなる。
【００１４】
本発明の除塵用粘着テープ巻着ロールにおける各部のサイズの一例を示すと、芯材１は外径が８０ｍｍ、内径が７５ｍｍ、長さ２８０ｍｍとし、厚さ０．２ｍｍの粘着テープを使用し、５０巻きし、ロール層の厚さは１０ｍｍとなる。
前記付着材２には厚さ０．２ｍｍ、幅３０ｍｍ、長さ２６０ｍｍの両面粘着テープを用いる。
また、前記破線状切離部７及び破線状切離部６は、１ｍｍ厚の切断刃を３枚重ねに用いて加工し、破線状切離部６は一箇所の長さが１５ｍｍ、平行間隔が２ｍｍとし、破線状切離部のカット目６ａは一個の長さ２ｍｍで、２ｍｍ間隔で５個とする。また、直線状切離部７のカット線７ａの１本の長さは概ね１３０ｍｍとし、２０ｍｍの間隔を設けて、図１に示すにように、６本に分離させる。
前記切欠部８は、カット線７ａの端部より１０ｍｍ程度の入った部位から端部では５ｍｍまでに斜め広がった略Ｖ字形で、且つロール外周面から芯材側に向かって端部では８ｍｍに広がた傾斜を設けて形成する。
なお、粘着ロール１の一方端は、粘着剤を塗布しない不粘着部１１を配置する。
【００１５】
本発明の除塵用粘着テープ巻着ロールは、図５の如くグリップを備えた金属製の棒の先に粘着ローラーが回転可能に装着される粘着ローラー式ゴミ付着掃除具Ｃに着脱交換可能に装着されるが、本発明を使用したときに、粘着テープ３のゴミが付着して不要となった部分が、綺麗な切り口となって確実に切り取れる。
このことについて詳述すると、粘着テープ３へのゴミが付着は全周囲に及ぶので、粘着テープ３が１周ごとに分離されるように、１本の切離部が設けられ、ここから容易に分離されるようにしてある。
ゴミが付着している部分を分離しようとするとき、図１に示すように、先ず切欠部８に指を掛けて粘着テープ３の端部を指で摘まんで捲り揚げるように表面一層を剥がす。すると下から新たな粘着面が露出する。
そしてそのまま切離部に達するまで剥がしたら、摘まんだ側から斜め前方に摘まんだ部分を移動させると、先ず直線状切離部７のカット線７ａ部分で切られた状態で綺麗な切り口で直線状切離部のカット線の端部７ｂまで一気に切り進む。するとその端部７ｂから破線状切離部６の２本の平行なミシン目状のカット目６ａのうち一方のカット目６ａに切り口が移動する。
【００１６】
このときに、必ず２本の平行なミシン目状のカット目６ａのうちいずれか一方のカット目６ａに確実に切れ目が移ることが重要である。
切離部は通常カット刃によって形成されるが、そのとき、図４に示すように、粘着テープ３には刃の厚さによる周囲の変形と加工亀裂が発生するので、破線状切離部６と直線状切離部７との配置を、直線状切離部７の端部に形成される加工亀裂７ｄが分離される側の各カット目６ａの両側に形成される加工亀裂６ｄの間に来るように形成する。
このように破線状切離部６と直線状切離部７とが配置されていると、直線状切離部７のカット線７ａ部分で切り進んだ切れ目（直線状切離部上の中央線Ｚにある）はその端部７ｂから伸びた加工亀裂１０が２本の平行なミシン目状のカット目６ａ（破線状切離部上の平行線Ｘ、Ｙにある）のうち一方のカット目６ａ（破線状切離部上の平行線Ｙ）の近くまで既に破れた状態となっていて、この加工亀裂１０の先端と、破線状切離部６のカット目６ａとの境は狭く、粘着剤の粘着力を伴って繋がれているが、加工時のカット刃の力による紙組織の変形が加わって他の部分よりも極めて弱くなっているので、そのまま引っ張るとその弱くなった部分が優先して千切れて、そのカット目６ａに切り口が移動する。
【００１７】
一旦カット目６ａに切り口が移動すると、図４に示すように、その破線状切離部６において破線状切離部６の２本の平行なミシン目状のカット目６ａ（破線状切離部上の平行線Ｘ、Ｙにある）の加工亀裂９は交互に接近して、加工亀裂９の先端近くまで既に破れた状態となっていて、この加工亀裂９の先端間は狭く、粘着剤の粘着力を伴って繋がれているが、加工時のカット刃の力による紙組織の変形が加わって他の部分よりも極めて弱くなっているので、そのまま引っ張るとその弱くなった部分が優先して千切れて、次々に交互にカット目６ａに切り口が移動して行く。
そして、その部分の破線状切離部６の最後のカット目６ａ又は直線状切離部７も端部７ｂに一番近いからカット目６ａから次の直線状切離部７のカット線７ａへと切り口が移動する。
このように直線状切離部７と前記破線状切離部６とが交互に分離されてゴミが付着している部分が完全に切り離される。
【００１８】
また、この切り口は、殆どは直線状切離部７であるので、既に直線状に長く切断されていることから、この部分に髪の毛が付着していても粘着テープを切ることについての影響がもともと存在せず、このたあめ髪の毛が切断線の両側に渡って付着していても、切離部からそれて裂けてしまうなどの不具合が生じることなく、綺麗に不要な粘着テープ部分を分離することが可能となった。
【産業上の利用可能性】
【００１９】
本発明は、除塵用粘着テープ巻着ロールに関するものであるが、他の用途の粘着ロールや幅広な各種粘着テープに使用することが可能である。
【図面の簡単な説明】
【００２０】
【図１】本発明の除塵用粘着テープ巻着ロールの要部を切欠した状態を示す斜視図である。
【図２】図１の正面図である。
【図３】破線状切離部を示す縦断側面図である。
【図４】破線状切離部を示す要部の輪切り断面斜視図である。
【図５】粘着ローラー式ゴミ付着掃除具に従来の粘着ロールを装着した状態を示す斜視図である。
【図６】従来の二重ミシン目とした粘着ロールを示す正面図である。
【符号の説明】
【００２１】
１    芯材
２    付着材
３    粘着テープ
４    粘着剤
５    剥離剤
６    破線状切離部
６ａ  破線状切離部のカット目
６ｂ  破線状切離部のカット目の端部
７    直線状切離部
７ａ  直線状切離部のカット線
７ｂ  直線状切離部のカット線の端部
８    切欠部
９    破線状切離部の加工亀裂
１０    直線状切離部の加工亀裂
１１    不粘着部
Ｘ    破線状切離部上の平行線
Ｙ    破線状切離部上の平行線
Ｚ    直線状切離部上の中央線
Ｃ    粘着ローラー式ゴミ付着掃除具
【図１】
2008302016.tif 000003
【図２】
2008302016.tif 000004
【図３】
2008302016.tif 000005
【図４】
2008302016.tif 000006
【図５】
2008302016.tif 000007
【図６】
2008302016.tif 000008